(57)【要約】      （修正有）【課題】開梱時の利便性を考えて物品の梱包・保管を行うことができ、しかもコスト的にも低く抑えることができる構造を備えるダンボールボックスを提供する。【解決手段】組立て後に直方体形状を呈して物品の梱包・保管を可能に形成されるダンボールボックス１１において、単一色調のシンプルなデザインを付与してその表面を形成するとともに、その周側面１１ａを構成するいずれかひとつの側板（例えば前側板１２）に、分類の別および該分類に属する複数種類の物品名を記載する分類別各種物品名記載欄１５と、計７個の白抜き部を略８の数字形状を呈するように配置して０〜９までのいずれかの数字を各別での塗りつぶしで表示することが可能に形成された複数個の数字表示欄１６とを設けた。【選択図】図１
0003193442.tif 000002
【実用新案登録請求の範囲】
【請求項１】
組み立て後に直方体形状を呈して物品の梱包・保管を可能に形成されるダンボールボックスにおいて、
該ダンボールボックスは、その表面に単一色調のシンプルなデザインを付与して形成するとともに、
該ダンボールボックスの周側面を構成するいずれかひとつの側板には、分類の別および該分類に属する複数種類の物品名を記載する分類別各種物品名記載欄と、計７個の白抜き部を略８の数字形状を呈するように配置して０〜９までのいずれかの数字を各別での塗りつぶし表示が可能に形成された複数個の数字表示欄とを設けたことを特徴とするダンボールボックス。
【請求項２】
前記ダンボールボックスは、物品を梱包・保管する際に補強用内底板として切り離される切除用板部をその展開形状中に含む請求項１に記載のダンボールボックス。
【請求項３】
前記数字表示欄は、白抜き横棒部を介在させたその左右に各３個配列させた請求項１または２に記載のダンボールボックス。
【請求項４】
ダンボールボックスにおける前記側板は、前側板と、該前側板の左側縁側から延設された左側板と、該左側板の左側縁側から延設された後側板と、前記前側板の右側縁側から延設された右側板とで構成され、
前記分類別各種物品名記載欄と前記数字表示欄とは、前記前側板に配置した請求項１ないし３のいずれかに記載のダンボールボックス。
【考案の詳細な説明】
【技術分野】
【０００１】
本考案は、引っ越す際の什器類梱包時や、非常災害用品の保管時や、不要不急物品のトランクルームへの一時的な保管時などに好適に用いることができるダンボールボックスに関する技術である。
【背景技術】
【０００２】
入学・入社時や転勤時には、生活に必要な什器類を転居先へと搬送する引っ越し作業が必要になる。この場合、什器類は、転居先で取り出す際に何がどのダンボールボックスに入っているのかを容易に把握できるように仕分けながら梱包しなければならない作業的な煩雑さがあることから、什器類梱包を含む引越作業の一切を専門の引越業者に依頼する例も多い。
【０００３】
また、非常災害用品については、必要時に住民に緊急物資として段取りよく引き渡せるように、常にその内容物を正確に把握・管理しておく必要があるほか、飲食物であればその正味期限等の必要情報もを正確に把握しながらダンボールボックスに保管しておく必要がある。
【０００４】
一方、シェア事務所などのような手狭な事務所や会社などでは、事務用品の収納スペースが十分には確保できないこともあって、選別した不要不急物品をダンボールボックスに入れて緊急避難的にトランクルーム等に一時的に保管してもらう必要がある。また、梱包する際には、ある特定物品が事後的に必要になることも想定して、何がどのダンボールボックスに入れてあるかを明確にしておく必要もある。
【０００５】
このため、上記したように一時的にダンボールボックスに物品を梱包・保管しておく場合には、従来より開梱後の物品取り出し考えて中にどのような梱包・保管物品が入っているのかがすぐ分かるように「食器」とか「アルバム」といった物品名をダンボールボックスの表側にフェルトペンなどで書き出しておくのが一般的であった。
【０００６】
また、例えば引っ越しに用いられるダンボールボックスについては、特許文献１に開示されている「引越用の履物類収納ボックス」や、特許文献２に開示されている「衣類収納装置」などのように、ある特定の物品に特化された専用のダンボールボックスもある。
【先行技術文献】
【特許文献】
【０００７】
【特許文献１】特開２００４−３３１１４３号公報
【特許文献２】特開２００７−１１８９７６号公報
【考案の概要】
【考案が解決しようとする課題】
【０００８】
しかし、従来からある普通のダンボールボックスについては、その表側に単に物品名を書き出しておくだけであったので、忙しさにかまけてその記載も乱雑で不正確になってしまいがちであり、開梱して物品を取り出す際に手違いが生じて作業性を低下させてしまう不都合があった。
【０００９】
また、開梱して物品を取り出した後のダンボールボックスについては、その使命を終えて無用の長物と化してしまう結果、これを廃棄するためにさらなる処理費用がかかってしまうばかりでなく、省資源化の要請にも反する不具合もあった。
【００１０】
さらに、特許文献１，２に開示されているようなある特定の物品に特化された専用のダンボールボックスについては、汎用性に欠けるばかりでなく、その構造も複雑化することから、コスト高になってしまう問題があった。
【００１１】
本考案は、従来技術にみられた上記課題に鑑み、物品の梱包・保管を開梱時における利便性等を考えて行うことができ、しかもコスト的にも低く抑えることができる構造を備えるダンボールボックスを提供することを目的とする。
【課題を解決するための手段】
【００１２】
本考案は、上記目的を達成すべくなされたものであり、組み立て後に直方体形状を呈して物品の梱包・保管を可能に形成されるダンボールボックスにおいて、該ダンボールボックスは、その表面に単一色調のシンプルなデザインを付与して形成するとともに、ダンボールボックスの周側面を構成するいずれかひとつの側板には、分類の別および該分類に属する複数種類の物品名を記載する分類別各種物品名記載欄と、計７個の白抜き部を略８の数字形状を呈するように配置して０〜９までのいずれかの数字を各別での塗りつぶし表示が可能に形成された複数個の数字表示欄とを設けたことを最も主要な特徴とする。
【００１３】
この場合、前記ダンボールボックスは、物品を梱包・保管する際に補強用内底板として切り離される切除用板部をその展開形状中に含めることができる。
【００１４】
また、前記数字表示欄は、白抜き横棒部を介在させたその左右に各３個配列させておくのが望ましい。さらに、ダンボールボックスにおける前記側板は、前側板と、該前側板の左側縁側から延設された左側板と、該左側板の左側縁側から延設された後側板と、前記前側板の右側縁側から延設された右側板とで構成し、前記分類別各種物品名記載欄と前記数字表示欄とを前記前側板に配置するのが好ましい。
【考案の効果】
【００１５】
本考案によれば、  ダンボールボックスは、その表面に単一色調のシンプルなデザインを付与して形成されているので、開梱しない荷姿のままで部屋に積み重ねて置いておいても、室内の家具調度と違和感なく配置することができ、したがってインテリアとして調和させることもできる。
【００１６】
また、いずれかの側板には、分類別各種物品名記載欄が設けられているので、収納物品の特定を容易化することができる。しかも、数字表示欄も設けられているので、白抜き部における必要箇所を塗りつぶすことで、所望する数字を有意的に表示することができる。このため、表示された数字は、本人以外には知り得ない適宜の有意データとして利用することが可能となるほか、トレーサビリティーに優れたものとすることもできる。
【００１７】
また、物品を梱包・保管する際に補強用内底板として切り離される切除用板部がダンボールボックスの展開形状中に含まれている場合には、別体として補強用内底板が用意した際に多発しがちな紛失をなくすことができる。
【００１８】
さらに、数字表示欄を白抜き横棒部を介在させたその左右に各３個配列させておく場合には、電話番号を表示するなど数字の表示パターンをより多様化させることができるので、有意データとしてより広範な利用が可能となる。
【００１９】
また、ダンボールボックスにおける前記側板を前側板と、該前側板の左側縁側から延設された左側板と、該左側板の左側縁側から延設された後側板と、前記前側板の右側縁側から延設された右側板とで構成し、分類別各種物品名記載欄と数字表示欄とを前側板に配置した場合には、梱包されている物品を常に正面側からな違いなく容易に把握することができる。
【図面の簡単な説明】
【００２０】
【図１】本考案に係るダンボールボックスの外側面が表面側に位置するように展開した組立て前の状態例を示す説明図。
【図２】図１に示す一例を組み立てる際の基本形状を示す斜視図。
【図３】図２の状態のもとで切除用板部を切除した状態を示す斜視図。
【図４】天地を逆にした状態を示す斜視図であり、そのうちの（ａ）は、図３に示す状態のもとで天地を逆にし、かつ、右回りに１８０度回転させた状態を、（ｂ）は、（ａ）の状態のもとで底部を形成した状態をそれぞれ示す。
【図５】図４に示す状態からさらに天地を逆にし、かつ、左回りに１８０度回転させた状態を切除した切除用板部とともに示す斜視図。
【図６】切除用板部を補強用底板として内底面に配置した上で、上蓋板部で施蓋しようとしている状態を示す斜視図。
【図７】図６に示す状態から上蓋板部を完全施蓋した梱包時における状態を示す斜視図。
【図８】前側板の数字表示欄の構成例を示す説明図であり、そのうちの（ａ）は未使用時の状態を、（ｂ）は、左側に配列されている３個の数字表示欄の対応位置を１，２，３の数字が表示されるように塗りつぶした後の状態をそれぞれ示す。
【考案を実施するための形態】
【００２１】
図１は、本考案に係るダンボールボックスの外側面が表面側に位置するように展開した組立前の状態例を示す説明図である。同図によれば、組立前の展開した状態でのダンボールボックス１１は、その全体に白や紺といった単一色調のシンプルなデザインを付与し、かつ、耐久性に優れたダンボール材を用いて形成されている。また、ダンボールボックス１１は、組立後に正面側に位置する前側板１２と、該前側板１２の左側縁１２ａ側から左方向に延設された左側板２２と、該左側板２２の左側縁２２ａ側からさらに左方向に延設されて組立後に前側板１２と同じ面サイズを有して背面側に位置する後側板３２と、前側板１２の右側縁１２ｂ側から左側板２２と同じ面サイズを有して延設された右側板４２との全体でその周側面１１ａを形成している。
【００２２】
これらのうち、前側板１２には、その上側縁１２ｃから上方に向けて突出させた前側舌片部１３と、下側縁１２ｄから下方に向けて突出させた前側折込み片部１４とが付設されている。この場合、前側舌片部１３は、右側斜辺部１３ａを備えた形状に形成するのが望ましい。また、前側折込み片部１４は、左側斜辺部１４ａとこれから前側板１２の横幅の略半分の横幅で延設された突片部１４ｂとで形成するのが好ましい。
【００２３】
しかも、前側板１２には、分類の別および該分類に属する複数種類の物品名を記載する分類別各種物品名記載欄１５と、計７個の白抜き部１６ａ，１６ｂ，１６ｃ，１６ｄ，１６ｅ，１６ｆ，１６ｇを略８の数字形状を呈するように配置して０〜９までの数字を各別に塗りつぶし表示が可能に形成された複数個の数字表示欄１６とが配置されている。
【００２４】
これらのうち、分類別各種物品名記載欄１５は、図１によれば前側板１２の下側面領域に上下４列に区画され、かつ、その左側部を縦線で仕切ることにより左側側に確保される計４個の分類記載部１５ａと、その右側に横並びで確保される計４個の物品記載欄部１５ｂとで構成されている。
【００２５】
また、分類別各種物品名記載欄１５の右上には、介在させた白抜き横棒部１７の左側には３個の数字表示欄１６を、白抜き横棒部１７の右側には３個の数字表示欄１６をそれぞれ配列させておくのが好ましい。
【００２６】
さらに、前側板１２の上側縁１２ｃの下方中央位置には、持ち運び時に手指を挿入して把持するための把手用切込み部１８が形成されている。
【００２７】
左側板２２には、その上側縁２２ｂから上方に向けて突出させた上蓋板部２３と、下側縁２２ｃから下方に向けて突出させた左側折込み片部２５とが付設されている。
【００２８】
この場合、上蓋板部２３には、その上側縁２３ａの中央部位から突出させた差込み用舌片部２４が設けられている。しかも、該差込み用舌片部２４は、上側縁２３ａの中央位置側から凹陥させて指先の導入を可能とした半円状切抜き部２４ａを備えている。
【００２９】
また、左側折込み片部２５は、その先端部側中央部位に前側折込み片部１４における突片部１４ｂの横幅よりもやや幅広なコ字状凹部２５ａが形成されている。
【００３０】
後側板３２には、その左側縁３２ａからさらに左方向に突出させて組立時に右側板４２の右側縁４２ｂ側の裏面に接合させる接合片部３３と、上側縁３２ｂから上方に向けて突出させた後側舌片部３４と、下側縁３２ｃから下方に向けて突出させた後側折込み片部３５とが付設されている。
【００３１】
また、後側板３２の上側縁３２ｂの下方中央位置には、前側板１２と同様に持ち運ぶ際に手指を挿入して把持するための把手用切込み部３６が形成されている。
【００３２】
この場合、後側舌片部３４は、左側斜辺部３４ａを備えた形状に形成されている。また、後側折込み片部３５は、右側斜辺部３５ａと、該右側斜辺部３５ａ側から前側板１２の横幅の略半分の横幅で延設された突片部３５ｂとで形成されている。
【００３３】
右側板４２には、その上側縁４２ａから上方に向けて突出させた右側舌片部４３と、該右側舌片部４３の上側縁４３ａからさらに上方向へと突出させた組立時に切除されて図３に示すように補強用内底板５２として用いられる切除用板部４４と、下側縁４２ｃから下方に向けて突出させた右側折込み片部４５とが付設されている。なお、切除用板部４４の上側縁４４ａの中央位置には、指先導入用の半円形の凹部４４ｂが形成されている。
【００３４】
また、右側板４２の上側縁４２ａと右側舌片部４３との境界領域には、左側板２２に付設されている上蓋板部２３が備える左側折込み片部２５のための差込み用通孔４６が略十字形状を呈して形成されている。該差込み用通孔４６は、右側板４２の上側縁４２ａの中央位置から下方に向けて指先の導入が可能に凹陥させた半円孔部４６ａと、右側板４２の上側縁４２ａに沿わせるようにして右側舌片部４３側に形成された横溝孔部４６ｂと、該横溝孔部４６ｂの中央上方側に連設された方形孔部４６ｃとで一体形成されている。この場合、方形孔部４６ｃは、図６に示すように上蓋板部２３を施蓋した上で開梱等のため開蓋しようとするときに、右側板４２が備える半円孔部４６ａ側から指先を差し込んでその裏側に位置している半円状切抜き部２４ａを押し込む必要があり、この際の半円状切抜き部２４ａのための逃げ孔としての役割を担っている。なお、右側板４２には、切除用板部４４を付設することなく、予め補強用内底板５２として別途用意しておくこともできる。
【００３５】
また、右側折込み片部４５は、やや先細りとなるようにテーパーが付された本体部４５ａと、該本体部４５ａから延設された差込み部４５ｂとで形成されている。
【００３６】
次に、図１に示すダンボールボックスを例に、その組立工程を図２〜図７に基づいて説明すれば、展開状態にあるダンボールボックス１１は、まず、後側板３２の接合片部３３を右側板４２の右側縁４２ｂ側の裏面へと接合させることで図２に示す略角筒形状とすることができる。
【００３７】
次いで、図２に示す形状を呈するダンボールボックス１１は、補強用内底板５２して用いるために右側板４２側から図３に示すように切除用板部４４を切除した後、天地を逆にした上で、右回りに１８０度回転させることで、底面１１ｃを形成するための図４（ａ）に示す状態とすることができる。
【００３８】
図４（ａ）に示す状態のもとでは、まず、左側折込み片部２５が下側縁２２ｃを介して内側に折り込まれ、次いで、前側折込み片部１４は下側縁１２ｄを介して、後側折込み片部３５は下側縁３２ｃを介してそれぞれが左側折込み片部２５側へと折り込んだ後、右側折込み片部４５が下側縁４２ｃを介して内側に折り込まれる。
【００３９】
このとき、右側差込み片部４５は、その差込み部４５ｂが左側折込み片部２５のコ字状凹部２５ａを介して差し込まれ、これにより左側折込み片部２５と前側折込み片部１４と後側折込み片部３５と右側折込み片部４５とが安定的に一体化された状態で組み合わされて底面１１ｃが形成されることになる。
【００４０】
このようにして底面１１ｃが形成された後は、再び天地を逆にした上で、図５に示すように切除用板部４４を切除してなる補強用内底板５２を開口面１１ｃからダンボールボックス１１の内底面上に配置した上で必要な物品が収納される。
【００４１】
物品収納後は、前側板１２の前側舌片部１３と後側板３２の後側舌片部３４と右側板４２の右側舌片部４３とのそれぞれを図６に示されているように内側に折り曲げた上で、差込み用舌片部２４も内側に折り込み、さらに上蓋板部２３も折り込むとともに、該上蓋板部２３が備える差込み用舌片部２４を右側板４２側が備える差込み用通孔４６における横溝孔部４６ｂ内に差し込むことで、前側板１２の前側舌片部１３と後側板３２の後側舌片部３４と右側板４２の右側舌片部４３とで下支えされた状態のもとで施蓋されて、図７に示す荷姿の梱包状態とすることができる。
【００４２】
本考案は、このようにして構成されているので、組立てた後のダンボールボックス１１は、必要な物品を収納した後にその開口面１１ｂを覆うように単に施蓋することで、上蓋板部２３が備える差込み用舌片部２４が右側板４２側が備える差込み用通孔４６における横溝孔部４６ｂ内に差し込まれた開蓋困難な施蓋状態とすることができるので、ビニルテープなどを貼着する必要をなくしてその梱包・開梱作業の簡素化を実現できるほか、繰り返し使用しても傷みにくくして開梱後も再利用できるほか、物品保管用としても捨てずに利用することで、省資源化という時代の要請に応えることができる。このため、コスト的にも低く抑えることができる。
【００４３】
しかも、その前側板１２には、分類別各種物品名記載欄１５が設けられているので、その分類記載部１５ａには、例えば「食器」と記載し、物品名記載部１５ｂには、「茶碗」や「皿」と記載することで、収納物品の特定を容易化することができる。
【００４４】
また、前側板１２には、数字表示欄１６も設けられているので、図８（ａ）に示す白抜き部１６ａ〜１６ｇにおける必要箇所を塗りつぶすことで、所望する数字を、例えば図８（ｂ）に示すように「１２３」として有意的に表示することができる。すなわち、本人が意図する有意的な意味を付与した数字として数字表示欄１６に表示することにより、該数字を本人以外には知り得ない有意データとして利用することが可能となる。そのため、例えば数字表示欄１６に図８（ｂ）に示されているように表示されている３桁の数字と同じ数字を携帯端末に予め設定されているアプリケーションソフトウェアを起動して入力した後、そのダンボールボックス１２の中身を取り出して写真撮影することでデータ化して保持させておくならば、単に同じ数字をアプリケーションソフトウェアに入力するだけで、開梱することなく中身を直ちに確認することができることになる。
【００４５】
この場合、数字表示欄１６を白抜き横棒部１７を介在させたその左右に各３個配列させておくならば、電話番号を表示するなど数字の表示パターンをより多様化させることができるので、有意データとしてより広範な利用が可能となる。
【００４６】
さらに、従来は使用後に無用の長物としてゴミ屑扱いされていたダンボールボックス１１は、その全体に単一色調のシンプルなデザインが付与されていることから、開梱しない荷姿のままで部屋に積み重ねて置いておいても、室内の家具調度と違和感なく配置することができ、したがってインテリアとして調和させることもできる。
【符号の説明】
【００４７】
１１  ダンボールボックス
１１ａ  周側面
１１ｂ  開口面
１１ｃ  底面
１２  前側板
１２ａ  左側縁
１２ｂ  右側縁
１２ｃ  上側縁
１２ｄ  下側縁
１３  前側舌片部
１３ａ  右側斜辺部
１４  前側折込み片部
１４ａ  左側斜辺部
１４ｂ  突片部
１５  分類別各種物品名記載欄
１５ａ  分類記載部
１５ｂ  物品名記載部
１６  数字表示欄
１６ａ，１６ｂ，１６ｃ，１６ｄ，１６ｅ，１６ｆ，１６ｇ  白抜き部
１７  白抜き横棒部
１８  把手用切込み部
２２  左側板
２２ａ  左側縁
２２ｂ  上側縁
２２ｃ  下側縁
２３  上蓋板部
２３ａ  上側縁
２４  差込み用舌片部
２４ａ  半円状切抜き部
２５  左側折込み片部
２５ａ  コ字状凹部
３２  後側板
３２ａ  左側縁
３２ｂ  上側縁
３２ｃ  下側縁
３３  接合片部
３４  後側舌片部
３４ａ  左側斜辺部
３５  後側折込み片部
３５ａ  右側斜辺部
３５ｂ  突片部
３６  把持用切込み部
４２  右側板
４２ａ  上側縁
４２ｂ  右側縁
４２ｃ  下側縁
４３  右側舌片部
４３ａ  上側縁
４４  切除用板部
４４ａ  上側縁
４４ｂ  凹部
４５  右側折込み片部
４５ａ  本体部
４５ｂ  差込み部
４６  差込み用通孔
４６ａ  半円孔部
４６ｂ  横溝孔部
４６ｃ  方形孔部
５２  補強用内底板
【図１】
0003193442.tif 000003
【図２】
0003193442.tif 000004
【図３】
0003193442.tif 000005
【図４】
0003193442.tif 000006
【図５】
0003193442.tif 000007
【図６】
0003193442.tif 000008
【図７】
0003193442.tif 000009
【図８】
0003193442.tif 000010